(57)【要約】【課題】美観にすぐれ、かつ、簡易に施工できる雨樋を提供する。【解決手段】雨樋１は、軒先３の横方向の略全長にわたり、屋根前端より壁面５側に湾曲状に下方に延びるように形成された板状樋１０と、板状樋１０の下端に雨水の受け入れを可能に接続された壁面竪樋３０とを備えた構造とされる。【選択図】図１
2019077994.tif 000002
【特許請求の範囲】
【請求項１】
軒先の横方向の略全長にわたり、屋根前端より壁面側に湾曲状に下方に延びるように形成された板状樋と、該板状樋の下端に雨水の受け入れを可能に接続された壁面竪樋とを備えたことを特徴とする雨樋。
【請求項２】
請求項１において、
前記板状樋がすくなくとも２枚の板体により袋状に形成されていることを特徴とする雨樋。
【請求項３】
請求項１または２において、
前記壁面竪樋が、壁面側に配される基部と、該基部より突出した複数の歯片とを有して断面櫛歯状とされ、前記歯片間に下方向に水が流下する流路を備えていることを特徴とする雨樋。
【請求項４】
請求項１〜３のいずれか１項において、
前記板状樋と前記壁面竪樋との間に、前記板状樋から流れてくる雨水を受け入れる受け樋をさらに備えており、
前記受け樋には、下方への流水を可能とした開口部と、下方への流水を禁止した閉塞部とが形成されていることを特徴とする雨樋。
【発明の詳細な説明】
【技術分野】
【０００１】
本発明は雨樋に関する。
【背景技術】
【０００２】
従来の雨樋としては、軒先側に取り付けるものとしては、軒先に横方向に沿って配設される長手状の軒樋と、軒樋に流れる雨水を集水して下方に流下させる竪樋との組み合わせ構造が広く用いられている（たとえば、特許文献１参照）。
【０００３】
特許文献１などに示された一般的な軒樋は軒先（屋根の先端部）に設けるものであり、竪樋は壁面に沿って設けるものであるため、見栄えをよくするために、それらを屋根や壁面の色に合わせるなど目立ちにくくする工夫が施されている。
【０００４】
また、特許文献２のものは、外方から見えないようにした内樋が軒樋の代わりに設けられており、これにより軒先はすっきりとした外観となっている。
【先行技術文献】
【特許文献】
【０００５】
【特許文献１】特開2007-218019号公報
【特許文献２】実開平6-25429号公報
【発明の概要】
【発明が解決しようとする課題】
【０００６】
しかしながら、特許文献１に示したような従来の雨樋は、軒樋および竪樋のいずれも長手状のものであるため、色を種々工夫したとしても意匠性の向上には限界がある。また、特許文献２に開示された雨樋は意匠面では問題はないが、樋構造が従来のものと大きく異なるため、部材として特別なものを準備しなければならず、また多くの工数がかかる可能性もあり、コストが増大化するおそれもある。
【０００７】
本発明は、このような事情を考慮して提案されたもので、その目的は、美観にすぐれ、かつ、簡易に施工できる雨樋を提供することにある。
【課題を解決するための手段】
【０００８】
上記目的を達成するために、請求項１に記載の雨樋は、軒先の横方向の略全長にわたり、屋根前端より壁面側に湾曲状に下方に延びるように形成された板状樋と、板状樋の下端に雨水の受け入れを可能に接続された壁面竪樋とを備えたことを特徴とする。
【０００９】
請求項２に記載の雨樋は、板状樋がすくなくとも２枚の板体により袋状に形成されていることを特徴とする。
【００１０】
請求項３に記載の雨樋は、壁面竪樋が、壁面側に配される基部と、基部より突出した複数の歯片とを有して断面櫛歯状とされ、歯片間に下方向に水が流下する流路を備えていることを特徴とする。
【００１１】
請求項４に記載の雨樋は、板状樋と壁面竪樋との間に、板状樋から流れてくる雨水を受け入れる受け樋をさらに備えており、この受け樋には、下方への流水を可能とした開口部と、下方への流水を禁止した閉塞部とが形成されていることを特徴とする。
【発明の効果】
【００１２】
請求項１に記載の雨樋は上述した構成とされているため、美観にすぐれ、かつ、簡易に施工できる。
【００１３】
請求項２に記載の雨樋は上述した構成とされているため、軒先から板状樋を伝って流れてくる雨水が垂れることを防止でき、雨水を板状樋から壁面竪樋へと確実に誘導させることができる。
【００１４】
請求項３に記載の雨樋は上述した構成とされているため、壁面の窓などを除きほぼ全面に壁面竪樋を設けることができる。壁面竪樋は前方側が開放された状態とされているため、空気の逃げ道を考慮する必要がない。したがって、広い範囲に取りつけなくてもオーバーフローが発生する可能性は低い。さらに、内部が見やすく、ごみ詰まりがあってもすぐに発見することができ、すぐにごみを取り除くこともできる。
【００１５】
また本項の雨樋によれば、板状樋、壁面竪樋のいずれもが壁面の略全面を利用できる構成であるため、雨水がたとえばパイプ内など一部に集中して激しく流れるおそれはなく、スムーズな排水を実現することができる。
【００１６】
請求項４に記載の雨樋は上述した構成とされているため、壁面竪樋を窓や出入口に応じて部分的に設置することができる。つまり、壁面竪樋は横方向に分離した状態にも設置することができる。
【図面の簡単な説明】
【００１７】
【図１】本発明の一実施形態に係る雨樋の取付態様を示す斜視図である。
【図２】同雨樋の縦断面図である。
【図３】同雨樋の一構成部材である板状樋の分解部分斜視図である。
【図４】（ａ）は同雨樋の他の構成部材である受け樋の平面図、（ｂ）は同受け樋の縦断面図である。
【図５】（ａ）は同雨樋の他の構成部材である壁面竪樋の部分斜視図、（ｂ）は同壁面竪樋の取付状態を示す横断面図である。
【発明を実施するための形態】
【００１８】
以下に、本発明の実施の形態について、添付図面を参照しながら説明する。
まず、一実施形態に係る雨樋の基本概略構成について、図１にもとづいて説明する。
【００１９】
本雨樋１は、図１に示すように、軒先３の横方向の略全長にわたり取り付けられるものである。この雨樋１は、軒先３の横方向の略全長にわたり、屋根前端より壁面５側に湾曲状に下方に延びるように形成された板状樋１０と、その板状樋１０の下端に雨水の受け入れを可能に接続された壁面竪樋３０とを備えている。
【００２０】
ついで、本実施形態に係る雨樋１について、図１および図２を参照して詳細に説明する。
【００２１】
この雨樋１は、図１に示すように、一般住宅建物の軒先３からその軒先３側の壁面５の下端にわたり取り付けられる樋である。この軒先３側の壁面５には窓６が設けてあり、その窓６とその下方部を除く壁面５の略全体に壁面竪樋３０が設けてある。
【００２２】
本実施形態に係る雨樋１は、板状樋１０と壁面竪樋３０との間に、板状樋１０から流れてくる雨水を受け入れる受け樋２０をさらに備えた構成とされている。本雨樋１を構成する板状樋１０、壁面竪樋３０および受け樋２０はいずれも金属または硬質樹脂などで形成されたものとすればよい。
【００２３】
板状樋１０は、図１および図２に示すように湾曲形状とされており、取付状態では、軒先３から前方に向けてその前端が湾曲するように突出し、さらに湾曲して下方の壁面５へと向かい、さらに壁面５に沿うように形成された、Ｓ字波形状の樋とされている。
【００２４】
この板状樋１０は、図２に示すように、２枚の板体１６、１７により袋状に形成されている。つまり、この板状樋１０には中空空間１１が形成されている。そして、その上部には雨水入り口１３が、下部には雨水出口１４が形成してある。
【００２５】
板状樋１０は、その板面に雨水が伝い流れる伝い板１６と、その伝い板１６の外側に配される覆い板１７とよりなり、両板体１６、１７の内面に形成されたリブ１６ａ、１７ａの重ね合わせにより中空空間１１が形成されている。
【００２６】
雨水入り口１３側では伝い板１６がやや長く延出しており、その延出部１２が屋根下地材部７と屋根材８との間に装着、固定されている。屋根材８の先端と覆い板１７の上端との間には開口Ｓが形成されており、その開口Ｓから雨水入り口１３に雨水が流れ込むように板状樋１０が取り付けられている。
【００２７】
板状樋１０の雨水出口１４は、壁面竪樋３０の上端側に固定された受け樋２０に遊嵌されている。この受け樋２０は、雨水出口１４より流れ出る雨水を受け入れて、底部２４に開設された開口部２４ａ、２４ａを通じて下方の壁面竪樋３０に流し出す集水流下機能を有している。
【００２８】
壁面竪樋３０は、前方が開放されてなる櫛歯状の竪樋とされ、櫛歯を構成する歯片３２、３２間に形成されている流路３４を雨水が流下する構成とされている。また本実施形態では、図１に示すように壁面５に窓６が設けてあるため、そこには壁面竪樋３０が取り付けられず、その窓とその下方を除く両側に分離状態に取り付けられている。
【００２９】
壁面竪樋３０および受け樋２０は、それぞれが壁面５に固定具等で固定されている。なお、受け樋２０が壁面竪樋３０に固定され、壁面竪樋３０のみが壁面５に固定される固定構造であってもよい。なお、壁面竪樋３０は、下端部（不図示）が地面に設けた排水溝に挿入されるように配設されればよい。
【００３０】
ついで、板状樋１０、受け樋２０および壁面竪樋３０のそれぞれの詳細構成および作用効果について、図３〜図５を参照しながら順次説明する。
【００３１】
板状樋１０を構成する両板体１６、１７は、図３に示すように側面視で略同形状とされている。それらの板体１６、１７の向かい合う面のそれぞれには、上下に走る複数のリブ１６ａ、１７ａが形成されている。
【００３２】
伝い板１６のリブ１６ａ、１６ａの上部および下部においては、横方向でリブ１６ａ、１６ａ間をつなぐようにリブ１６ａ、１６ａの突端に渡し板１６ｂが取り付けられている。また、覆い板１７については、リブ１７ａ、１７ａは渡し板１６ｂと接触しないように上下部において伝い板１６のリブ１６ａよりも短くなるように形成されている。また、リブ１７ａ、１７ａ間の上部および下部には、引っ掛け片１７ｂ、１７ｂが形成されている。
【００３３】
板体１６、１７のリブ１６ａ、１７ａどうしを重ねた状態となるように、覆い板１７の引っ掛け片１７ｂを伝い板１６の渡し板１６ｂに引っ掛けることで、両板体１６、１７は中空空間１１を有した状態に合体される。
【００３４】
このように、板体１６、１７が複数のリブ１６ａ、１７ａを有した構造であるため、それぞれの板体１６、１７は形状を保持することができるとともに、両板体１６、１７が合体された状態ではさらに強固な構造となり、板状樋１０全体としても波形状を保持することができる。
【００３５】
また上述したように、引っ掛け片１７ｂの渡し板１６ｂへの引っ掛けにより両板体１６、１７は簡易に結合でき、さらに分解も簡易に行える。つまり、施工現場で簡単に板状樋１０を結合、形成することができ、分解による掃除も簡単に実施することができる。なお、側端では重なった両リブを固着するようにして、覆い板１７が風などで容易に外れないようにしてもよい。
【００３６】
板状樋１０の構成は上記のものには限らず、両板体１６、１７が他の結合手段により結合されるようにしてもよい。また、板状樋１０は２枚の板体１６、１７によらなくてもよく、３枚以上のものを重ねて２段の中空空間１１を有したものとしてもよい。さらに、板状樋１０は複数の板体１６、１７を結合して構成するものでなくてもよく、一体の波形筒体を用いた構成としてもよい。
【００３７】
このように板状樋１０は袋状に形成されているため、雨水を板面より垂れ落ちさせることなく、壁面５側の下方に誘導させることができる。また、本板状樋１０は、覆い板１７により雨水の流れが外部から見えない構成であるため、見栄えもよい。
【００３８】
なお、雨水が板面を伝い下方に流下するものであれば、１枚の板体（伝い板１６）のみで構成した板状樋１０であってもよい。１枚の伝い板１６よりなる板状樋１０であれば、より簡易な構成となるためコストを抑えることができ、また、より簡易に施工することもできる。
【００３９】
以上のように板状樋１０は、覆い板１７の有無にかかわらず、軒先３の横方向の略全長にわたり、すっきりとした湾曲板面を外部に露出させることができる。そのため、従来の軒樋にくらべるとすっきりとした外観にすることができる。また、従来の軒樋や樋支持具、竪樋への集水構造は不要とされ、施工を簡易化することができる。
【００４０】
この板状樋１０の下部の雨水出口１４は、上述したように受け樋２０に装着される。この受け樋２０は、図１に示すように、板状樋１０の雨水出口１４が横方向の全長にわたり内嵌状態に受け樋２０に装着される、板状樋１０の幅寸法におおむね合致した寸法とされている。
【００４１】
ついで受け樋２０について詳述する。受け樋２０は、図４に示すように、上方が開放され、前壁部２１、後壁部２２、両側壁部２３、２３および底部２４を有した横長直方体の容器形状とされ、両側壁部２３、２３のそれぞれの側方には、背面が略面一となるように壁面固定用のフランジ片２５、２５を備えている。
【００４２】
底部２４は一部が下方に向けて開放されている。本実施形態のものは、左側の長めの開口部２４ａと、右側の短めの開口部２４ａとが閉塞部２４ｂを介して開設されている。これらの開口部２４ａ、２４ａは、上方の板状樋１０から下方の壁面竪樋３０へ雨水を流通させるための開口である。
【００４３】
本実施形態では、壁面５に窓６が形成されており、その窓６およびその下方部には壁面竪樋３０を設けられない構成であるため、２つの分離した壁面竪樋３０、３０が設けられている。それらの壁面竪樋３０、３０のそれぞれに対応して、受け樋２０の底部２４には２つの開口部２４ａ、２４ａが形成されている。開口部２４ａ、２４ａの横方向の寸法は、見付け方向の寸法が大きい左側の壁面竪樋３０と、見付け方向の寸法が小さい右側の壁面竪樋３０のそれぞれの寸法に対応したものとされている。
【００４４】
このように、受け樋２０は、窓６などの壁面５の開口構造などに対応して分離設置される壁面竪樋３０、３０の位置、寸法に応じて開口部２４ａ、２４ａおよび閉塞部２４ｂの位置、寸法が設定されている。なお、板状樋１０からは受け樋２０の長手方向の全長に対して雨水が流れ込む構成であるため、閉塞部２４ｂの上面に雨水が溜まらないように、閉塞部２４ｂの上面は開口部２４ａ、２４ａに雨水が流れやすくするために傾斜面とされることが望ましい。
【００４５】
なお、本実施形態では、受け樋２０の底部２４は、壁面竪樋３０、３０に対応して２つの開口部２４ａ、２４ａが閉塞部２４ｂを介して形成されているが、開口部２４ａは１つであってもよい。また、閉塞部２４ｂは形成されていなくてもよく、全体が開口部２４ａであってもよい。
【００４６】
つぎに壁面竪樋３０について詳述する。本実施形態では壁面竪樋３０、３０は、上述したように２つに分離して設けられる構成とされている。両壁面竪樋３０、３０の見付け方向の寸法（幅寸法）は相互に異なるが、両壁面竪樋３０、３０は同一の構成部を有した構成であるため、図１における右側のものについてのみ図示して説明し、他方については図示および説明を省略する。
【００４７】
壁面竪樋３０は、図５に示すように、基部３１と、基部３１より前方に突出した複数の歯片３２、３２とを有して横断面が櫛歯状とされ、歯片３２、３２間に下方向に水が流下する流路３４、３４を備えている。
【００４８】
具体的には、この壁面竪樋３０は横断面が櫛歯状であり、基部３１と、複数の歯片３２、３２のうちの両側端片３３、３３とにより、外殻が横断面視で略コ字状に形成されている。壁面竪樋３０は、この基部３１の背面を壁面５に添わせるようにして取り付けられる。また、両側端片３３、３３の側方には、背面が略面一となるように壁面固定用のフランジ片３５、３５が形成されている。
【００４９】
両側端片３３、３３間には、基部３１より前方に突出するように、略等間隔に配列された複数の歯片３２、３２が形成されている。両側端片３３、３３は、両側端片３３、３３間に配された歯片３２（以下、たんに歯片３２という）の先端よりも少し長く前方に突出し、歯片３２の上端より少し高く上方に突出している。
【００５０】
この壁面竪樋３０は、側端片３３、３３間を受け樋２０の開口部２４ａに合致させるように配されている。具体的には、基部３１および側端片３３、３３が、開口部２４ａの周縁側の底部２４の裏面に当接させるように配されればよい。このように、受け樋２０に対して壁面竪樋３０を開口部２４ａに装着するのではなく、底部２４の裏面に当接するように配すれば、壁面竪樋３０の上部が雨水の流れを妨げることがなく、雨水をスムーズに、開口部２４ａから、壁面竪樋３０の側端片３３、３３の上端部間に形成された、歯片３２、３２の上方の凹部３６へと誘導することができる。
【００５１】
壁面竪樋３０には、雨水を流路３４の基部３１側（後部側）に流すことが望ましい。このように雨水が流路３４の基部３１側を流れれば、雨水の量が少量であっても大量であっても、前方側（歯片３２の開放端側）が開放されているため、雨水は前方において空気に接しながらスムーズに下方に流れていく。
【００５２】
また、さらに大量の雨水がこの壁面竪樋３０の上端部（凹部３６）に流れてきた場合には、雨水は流路３４から前方に溢れ出るおそれがあるが、雨水は前方へ溢れ出るだけであるから、流路３４内で詰まったり滞留したりすることはない。このように大量の雨水が流れてきたときは前方へオーバーフローするが、流れが滞らないため、凹部３６や受け樋２０内での雨水のオーバーフローは当然に発生しにくい。
【００５３】
さらに、側端片３３が歯片３２よりも前方に突出しているため、前方へオーバーフローした雨水が横方向に飛び出す可能性もほとんどない。また、側端片３３が歯片３２よりも高く形成されているため、凹部３６に入り込んだ雨水は側方に流出しにくい。
【００５４】
このように雨水の溢れ出はほぼ前方におおむね集中するので、溢れ出た雨水が基部３１と壁面５との間に流れ込む可能性はほとんどない。そのため、基部３１の背面側の壁面５に、雨水による集中的な汚れが発生したり、雨水の付着により壁面３の劣化が早まったりすることを防止することができる。
【００５５】
また、流路３４を有効に利用し、かつ前方へのオーバーフロー水を多く発生させないためには、雨水を、その後方に空気を入り込ませないように、流路３４の基部３１側に流すようにすることが望ましい。なお、流路３４内において空気が雨水の基部３１側に入り込むと、その空気が雨水を前方に押し出すおそれがある。
【００５６】
このように雨水を流路３４の基部３１側を通過させるためには、受け樋２０の開口部２４ａを、壁面竪樋３０の後部側の領域（図５（ｂ）における２点鎖線で囲んだエリア）に合わせるように形成すればよい。また、流路３４の後部側に雨水を誘導できるように、歯片３２の上端形状を、開放端側が基部３１側よりも高くなるように傾斜した形状としてもよい。
【００５７】
以上のように、この壁面雨樋３０によれば、前方側が開放された状態となるため、空気の逃げ道を考慮する必要がない。また、大量の雨水が流れてきてオーバーフローした場合でも、開放された側面より雨水が溢れ出るだけなので、凹部３６や受け樋２０内での雨水のオーバーフローが発生する可能性は低い。また、歯片３２、３２は開放端を前方に向けているため、正面より流路３４を見ることができ、ごみ詰まりがあってもすぐに発見することができ、またごみをすぐに取り除くこともできる。
【００５８】
なお、この壁面竪樋３０は、軒先側の壁面５の窓６を除く略全面に設けてあるため、個々の歯片３２、３２間に流れる雨水量を少なくすることができる。そのため、歯片３２の前方への突出寸法を、従来の竪樋の直径よりも十分に小さい、たとえば５０ｍｍ程度にすることができる。歯片３２をその程度の突出寸法にしても、雨水が前方へ溢れ出る可能性は極めて低い。
【００５９】
また、壁面竪樋３０は正面から見れば縦条模様に見え、そのような壁面竪樋３０、３０が窓６とその下方部を除く全面に設けてあるから、その縦条模様は壁面模様のように見える。そのため美観を損なうおそれはほとんどなく、むしろ縦条模様により美観を向上させることもできる。
【００６０】
以上に説明した雨樋１によれば、軒先３先端から壁面５の下端にいたるまでの略全面を雨水の流水路として利用できるので、大雨のときにも、従来の雨樋１のように雨水がパイプなどに集中して激しく流れるおそれはなく、スムーズな雨樋排水を実現することができる。
【００６１】
以上に示した雨樋１は受け樋２０を有した構成であるが、窓６や開口構造などがない場合には、受け樋２０を介さずに、壁面竪樋３０を分離させずに壁面５の略全体に配設してもよい。ようするに、雨水を板状樋１０から直接壁面竪樋３０に流し込むことができる構成としてもよい。
【００６２】
また、壁面竪樋３０として従来のパイプ状の竪樋を用いてもよい。壁面竪樋３０をパイプ状の竪樋で構成する場合には、受け樋２０の底部２４に雨水が流下可能なようにパイプの上端部を接合した構造とすればよい。
【００６３】
また、本雨樋１によれば、軒樋に代わる板状樋１０の設置のためには、上述したように樋支持具を必要としないし、また竪樋に代わる壁面竪樋３０の設置のためにも、樋支持具は必要としない。ようするに、板状樋１０の上端部を軒先３にしっかりと固定し、かつ壁面竪樋３０を壁面５にしっかりと固定するだけでよく（受け樋２０も固定してもよい）、そのため、部品を従来のものにくらべ格段に少なくすることができ、施工を簡単化することができる。
【符号の説明】
【００６４】
１            雨樋
３            軒先
５            壁面
６            窓
７            屋根下地材部
８            屋根材
１０          板状樋
１１          中空空間
１２          延出部
１３          雨水入り口
１４          雨水出口
１６          伝い板（板体）
１６ａ        リブ
１６ｂ        渡し板
１７          覆い板（板体）
１７ａ        リブ
１７ｂ        引っ掛け片
Ｓ            開口
２０          受け樋
２１          前壁部
２２          後壁部
２３          側壁部
２４          底部
２４ａ        開口部
２４ｂ        閉塞部
２５          フランジ片
３０          壁面竪樋
３１          基部
３２          歯片
３３          側端片
３４          流路
３５          フランジ片
３６          凹部
【図１】
2019077994.tif 000003
【図２】
2019077994.tif 000004
【図３】
2019077994.tif 000005
【図４】
2019077994.tif 000006
【図５】
2019077994.tif 000007